(57)【要約】      （修正有）【課題】光伝送システムにおいて、実際の障害箇所がどこであるかを特定できるようにする。【解決手段】光伝送装置は、複数の光インターフェース、波長多重するマルチプレックス部、光信号を光伝送路に送信する出力アンプ、光伝送路から受信する光信号を増幅するプリアンプ、複数の光信号を複数の光インターフェースに出力するデマルチプレックス部、微弱な試験用光信号を装置内の各部に選択的に出力するダミー信号送信部、装置内の各部に配置され、光信号の状態をモニタする信号モニタ部、障害発生時の警報情報を記憶するログ記憶部、信号モニタ部がモニタする光信号の状態を定期的に確認して、異常時の警報情報をログ記憶部に記憶する制御部を設ける。制御部は、監視端末が出力する障害探索指令に応じて、ダミー信号送信部の試験用光信号を出力し、信号モニタ部で試験用光信号の受信を確認することでログ記憶部に記憶されている警報情報を検証する。【選択図】図１
2010074492.tif 000002
【特許請求の範囲】
【請求項１】
複数の光インターフェースと、
前記複数の光インターフェースから入力する複数の光信号を波長多重するマルチプレックス部と、
前記マルチプレックス部で波長多重された波長多重光信号を光伝送路に送信する出力アンプと、
前記光伝送路から受信する波長多重光信号を増幅するプリアンプと、
前記プリアンプが出力する波長多重光信号を波長毎に分離した複数の光信号を前記複数の光インターフェースに出力するデマルチプレックス部と、
微弱な試験用光信号を装置内の各部に選択的に出力するダミー信号送信部と、
装置内の各部に配置され、光信号の状態をモニタする信号モニタ部と、
障害発生時の警報情報を記憶するログ記憶部と、
前記信号モニタ部がモニタする光信号の状態を定期的に確認して、異常時の警報情報を前記ログ記憶部に記憶する制御部とを設け、
前記制御部は、外部に接続された監視用端末が出力する障害探索指令に応じて、前記ログ記憶部に記憶されている警報情報に基づいて前記ダミー信号送信部の試験用光信号を出力し、前記信号モニタ部で前記試験用光信号の受信を確認することで前記ログ記憶部に記憶されている警報情報を検証することを特徴とする光伝送装置。
【請求項２】
請求項１に記載の光伝送装置において、
前記制御部は、前記ログ記憶部に記憶されている警報情報を検証して障害が検出できなかった場合は、時系列順に次の警報情報を検証することを特徴とする光伝送装置。
【請求項３】
請求項１または２に記載の光伝送装置において、
前記ログ記憶部に記憶する警報情報は、警報発生日時と、警報発生場所と、警報種別とを含むことを特徴とする光伝送装置。
【請求項４】
請求項１から３のいずれか一項に記載の光伝送装置において、
前記制御部は、ＡＬＳ動作を開始する所定時間前から前記ログ記憶部に記憶されている警報情報を検証することを特徴とする光伝送装置。
【請求項５】
請求項１から４のいずれか一項に記載の光伝送装置を複数台と、前記複数の光伝送装置のそれぞれに接続された監視用端末とで構成される光伝送システムにおいて、
前記監視用端末は、前記複数の光伝送装置の制御部に障害探索指令を発行し、
前記複数の光伝送装置の制御部は、他の光伝送装置と連携して前記ダミー信号送信部の試験用光信号を出力して、前記ログ記憶部に記憶されている警報情報を検証する
ことを特徴とする光伝送システム。
【発明の詳細な説明】
【技術分野】
【０００１】
本発明は、光伝送装置および光伝送システムの障害発生箇所を特定する技術に関する。
【背景技術】
【０００２】
近年、通信の高速化に伴い、波長多重（ＷＤＭ：Ｗａｖｅｌｅｎｇｔｈ  Ｄｉｖｉｓｉｏｎ  Ｍｕｌｔｉｐｌｅｘｉｎｇ）によって効率的な通信を行うＷＤＭ装置などの光伝送装置が普及している。このような光伝送装置では、通信断など伝送路に異常が発生した場合、ＡＬＳ（Ａｕｔｏ  Ｌａｓｅｒ  Ｓｈｕｔｄｏｗｎ）制御が実行される。ＡＬＳ制御は、異常経路に関連する伝送路の光アンプの出力を停止するもので、保守作業員がシステムを修復する際のレーザー光による事故を防止するために行われる。特に、ＤＷＤＭ（Ｄｅｎｓｅ  ＷＤＭ）装置のような高出力の光送信部を備えた伝送装置では、殆どの装置でＡＬＳ制御が行われている。例えば、障害発生時に光アンプの出力をシャットダウンする様々な方法が検討されている（特許文献１参照）。
【特許文献１】特開２００２−３３５２１６号公報
【発明の開示】
【発明が解決しようとする課題】
【０００３】
ところが、光アンプの出力を停止したことに起因する通信断は、光伝送装置内の複数の監視箇所で伝送路の異常として検出され、それぞれの監視箇所から複数の警報が監視端末に送られてくるため、実際の障害箇所がどこであるかを特定することが難しいという問題があった。特に、複数の光伝送装置で構成される光伝送システムの場合は、送信側の光伝送装置だけでなく、ＡＬＳ制御によって停止された受信側の光伝送装置からもＡＬＳ制御に起因する警報が監視端末に送られてくるため、実際の障害箇所の特定には多大な時間と労力が必要であった。
【０００４】
本発明の目的は、光伝送装置および光伝送システムで障害が発生した場合に、実際の障害箇所を容易に特定できる光伝送装置および光伝送システムを提供することである。
【課題を解決するための手段】
【０００５】
本発明に係る光伝送装置は、複数の光インターフェースと、前記複数の光インターフェースから入力する複数の光信号を波長多重するマルチプレックス部と、前記マルチプレックス部で波長多重された波長多重光信号を光伝送路に送信する出力アンプと、前記光伝送路から受信する波長多重光信号を増幅するプリアンプと、前記プリアンプが出力する波長多重光信号を波長毎に分離した複数の光信号を前記複数の光インターフェースに出力するデマルチプレックス部と、微弱な試験用光信号を装置内の各部に選択的に出力するダミー信号送信部と、装置内の各部に配置され、光信号の状態をモニタする信号モニタ部と、障害発生時の警報情報を記憶するログ記憶部と、前記信号モニタ部がモニタする光信号の状態を定期的に確認して、異常時の警報情報を前記ログ記憶部に記憶する制御部とを設け、前記制御部は、外部に接続された監視用端末が出力する障害探索指令に応じて、前記ログ記憶部に記憶されている警報情報に基づいて前記ダミー信号送信部の試験用光信号を出力し、前記信号モニタ部で前記試験用光信号の受信を確認することで前記ログ記憶部に記憶されている警報情報を検証することを特徴とする。
【０００６】
また、より好ましくは、前記制御部は、前記ログ記憶部に記憶されている警報情報を検証して障害が検出できなかった場合は、時系列順に次の警報情報を検証することを特徴とする。
【０００７】
また、より好ましくは、前記ログ記憶部に記憶する警報情報は、警報発生日時と、警報発生場所と、警報種別とを含むことを特徴とする。
【０００８】
また、より好ましくは、前記制御部は、ＡＬＳ動作を開始する所定時間前から前記ログ記憶部に記憶されている警報情報を検証することを特徴とする。
【０００９】
本発明に係る光伝送システムは、前記光伝送装置を複数台と、前記複数の光伝送装置のそれぞれに接続された監視用端末とで構成される光伝送システムにおいて、前記監視用端末は、前記複数の光伝送装置の制御部に障害探索指令を発行し、前記複数の光伝送装置の制御部は、他の光伝送装置と連携して前記ダミー信号送信部の試験用光信号を出力して、前記ログ記憶部に記憶されている警報情報を検証することを特徴とする。
【発明の効果】
【００１０】
本発明に係る光伝送装置および光伝送システムは、障害発生時に警報情報を記憶するログ記憶部を設け、ログ記憶部に記憶された警報情報に基づいて効率的にダミー信号を出力するので、実際の障害箇所を容易に特定することができる。
【発明を実施するための最良の形態】
【００１１】
以下、本発明に係る光伝送装置および光伝送システムの実施形態について、図面を用いて詳しく説明する。
【００１２】
図１は、本実施形態に係る光伝送システム１００の構成を示すブロック図である。光伝送システム１００は、ＤＷＤＭ技術を用いて波長多重を行う光伝送システムで、図１では分かり易いように、光伝送装置１０１と光伝送装置１０２の２つの光伝送装置が光伝送路１０３，１０４を介して接続されている。また、光伝送装置１０１と光伝送装置１０２は、ＬＡＮ１０５を介して監視装置１０６に接続されている。尚、本実施形態ではＬＡＮ１０５を介して監視装置１０６に接続したが、ＵＳＢインターフェースなどのシリアル通信線を用いて接続するようにしても構わない。
【００１３】
次に、光伝送装置１０１の構成について説明する。尚、光伝送装置１０２は、光伝送装置１０１と同じ構成なので、ここでは、光伝送装置１０１についてのみ説明する。
【００１４】
光伝送装置１０１は、光インターフェース２０１ａ，２０１ｂおよび２０１ｃの３つの光インターフェース（光ＩＦ）と、３つの光ＩＦ２０１ａ，２０１ｂおよび２０１ｃから入力する３つの光信号を波長多重するマルチプレックス部（ＭＵＸ部）２０２と、ＭＵＸ部２０２で波長多重された波長多重光信号を光伝送路１０３に送信する出力アンプ２０３と、光伝送路１０４から受信する波長多重光信号を増幅するプリアンプ２０４と、プリアンプ２０４が出力する波長多重光信号を波長毎に分離した３つの光信号を３つの光ＩＦ２０１ａ，２０１ｂおよび２０１ｃに出力するデマルチプレックス部（ＤＥＭＵＸ部）２０５と、微弱な試験用光信号を装置内の各経路に選択的に出力するダミー信号送信部２０６と、障害発生時の警報情報を記憶するログ記憶部２０７と、光伝送装置１０１を構成する各部内において光信号が正常か否かを定期的に検知して、異常時の警報情報をログ記憶部２０７に記憶する制御部２０８とで構成される。尚、本実施形態では、分かり易いように、３つの光ＩＦ２０１ａ，２０１ｂおよび２０１ｃから入力する光信号を波長多重する構成にしたが、実際には１６波長や６４波長などの波長多重に対応した数の光ＩＦを有する。
【００１５】
また、光伝送装置１０１を構成する各部は、光信号が正常か否かをモニタする信号モニタ部（不図示）を有しており、制御部２０８は各部の信号モニタ部の状態を定期的にポーリング処理によって読み取る。尚、信号モニタ部は、モニタする光信号の有無などを示すレジスタのようなものである。また、図１では、各部から制御部２０８に対して点線矢印を描いてあるが、同図では主要部のみ描いてあり、例えば各部の入力側と出力側とに信号モニタ部を設けたり、各部を接続する経路部に信号モニタ部を設けても構わず、同図の点線矢印に限定されるものではない。
【００１６】
さらに、制御部２０８は、ＬＡＮインターフェース（ＩＦ）２０９およびＬＡＮ１０５を介して監視端末１０６に接続されており、警報が発生した時に監視端末１０６に通報する。或いは、監視端末１０６から探索モード指令が発行されると、制御部２０８は障害発生箇所を特定する処理を開始し、特定された障害発生箇所を監視端末１０６に知らせる。そして、監視端末１０６に障害発生箇所が通報されると、保守作業員が現場に出動し、通報された障害発生箇所の回復を図る。
【００１７】
ここで、ダミー信号送信部２０６は、人体への影響が少ない微弱な試験用の光信号を出力する送信部で、光伝送装置１０１の各部に配線され、制御部２０８の指令によっていずれかの経路を選択して出力することができるようになっている。尚、図１では、ダミー信号送信部２０６から各部に対して試験用の光信号を出力するための点線矢印を描いてあるが、同図では主要部のみ描いてあり、例えば各部の入力側や出力側に試験用の光信号を入力したり、各部を接続する経路部に試験用の光信号を入力できるようにしても構わず、同図の点線矢印に限定されるものではない。
【００１８】
制御部２０８は、先に説明したように、光信号に異常があるか否かを定期的に各部の信号モニタ部に問い合わせるポーリングを行い、光伝送装置１０１内に障害が発生しているか否かを確認する。そして、制御部２０８が障害の発生を検知した場合は、従来技術で説明したＡＬＳ制御を行う。ＡＬＳ制御の例として、例えば制御部２０８がプリアンプ２０４の信号モニタ部をポーリングした時に、信号モニタ部がプリアンプ２０４の入力側でＬＯＳ（Ｌｏｓｓ  Ｏｆ  Ｓｉｇｎａｌ：信号断）を検出した場合、出力アンプ２０３の光出力を停止する。尚、本実施形態では、定期的に各部の信号モニタ部を読みに行くポーリング処理を行う場合について説明したが、例えばプリアンプ２０４の信号モニタ部と出力アンプ２０３とがハード的に接続されている光伝送装置の場合は、プリアンプ２０４で障害を検出した時に、直接、出力アンプ２０３の光出力を停止することができる。このように、ハードウェアでＡＬＳ制御を行う場合は、障害箇所の特定がより難しくなるので、本実施形態で説明する障害箇所の特定方法が特に有効である。また、制御部２０８は、例えば上記の場合、不揮発性メモリなどで構成されるログ記憶部２０７にプリアンプ２０４の入力側でＬＯＳが発生したという警報情報を記憶する。
【００１９】
以上が光伝送装置１０１の基本的な構成である。ここで、光伝送装置１０２は、光伝送装置１０１と全く同じ構成の光伝送装置である。例えば、光伝送装置１０１の光ＩＦ２０１ａ，２０１ｂおよび２０１ｃは、光伝送装置１０２の光ＩＦ３０１ａ，３０１ｂおよび３０１ｃにそれぞれ対応する。また、光伝送装置１０１のＭＵＸ部２０２，出力アンプ２０３，プリアンプ２０４，ＤＥＭＵＸ部２０５，ダミー信号送信部２０６，ログ記憶部２０７および制御部２０８は、光伝送装置１０２のＭＵＸ部３０２，出力アンプ３０３，プリアンプ３０４，ＤＥＭＵＸ部３０５，ダミー信号送信部３０６，ログ記憶部３０７および制御部３０８にそれぞれ対応する。尚、光伝送装置１０２の動作は、先に説明した光伝送装置１０１の動作と同じなので、重複する説明は省略する。
【００２０】
次に、ログ記憶部２０７に記憶される警報情報について説明する。警報情報は、少なくとも警報発生日時と、警報発生場所と、警報種別とで構成される。図２に、ログ記憶部２０７に記憶される警報情報の例を示す。
【００２１】
図２において、例えば、制御部２０８は、警報発生日時：２００８年４月１０日９時０分１０秒、警報発生場所：ＭＵＸ部２０２の出力側、警報種別：ＬＯＳである警報が発生したことをログ記憶部２０７に記憶する。尚、障害が回復した場合は、制御部２０８は、警報発生日時の代わりに警報回復日時：２００８年４月１０日９時０分１５秒、警報発生場所の代わりに警報回復場所：ＭＵＸ部２０２の出力側、警報種別：ＬＯＳである警報が回復したことをログ記憶部２０７に記憶する。
【００２２】
尚、図２では、分かり易いように、警報が回復した時に回復したことを示すログをログ記憶部２０７に記憶するようにしたが、警報が回復した場合は、ログ記憶部２０７に記憶された警報を削除するようにしても構わない。この場合は、ログ記憶部２０７には、回復していない警報情報だけが記憶されることになり、「発生」や「回復」のような状態を示す項目は不要である。
【００２３】
また、警報の種類には、図２に示したＬＯＳ以外に、ＬＯＦ（Ｌｏｓｓ  Ｏｆ  Ｆｒａｍｅ：フレーム同期外れ）やＡＩＳ（Ａｌａｒｍ  Ｉｎｄｉｃａｔｉｏｎ  Ｓｉｇｎａｌ：故障信号）などがあるが、いずれの場合でも先に説明したＬＯＳの場合と同様に動作する。
【００２４】
ここで、障害発生時の光伝送システム１００の様子について、図３を用いて説明する。図３（ａ）は、光伝送装置１０１と光伝送装置１０２とが光伝送路１０３，１０４を介して相互に接続された図１の光伝送システム１００を示している。今、図３（ｂ）に示すように、通信中に光伝送装置１０２の入力側で異常（ＬＯＳなど）が発生したとする。光伝送装置１０２は、この障害発生によってＡＬＳ制御を開始し、図１に示した光伝送装置１０２の出力アンプ３０３が光伝送路１０４に出力する光信号を停止する。この結果、図３（ｃ）に示すように、光伝送装置１０１の入力側でも異常を検出し、光伝送装置１０１が光伝送路１０３に出力する光信号を停止する。このようにして、連鎖的に光伝送装置１０１，１０２の各部で異常を検出して、光伝送システム全体の動作が停止することになる。
【００２５】
ここで、図３（ｃ）のように、光伝送システム１００全体が停止した状態で実際の障害箇所を特定することは難しく、従来は保守作業員が光伝送装置１０１および光伝送装置１０２の各部に試験用の光信号を入力して各部の出力側に測定器を接続し、入力した光信号が出力側の測定器で確認する作業を人手で行っていた。これに対して本実施形態では、実際の障害箇所を自動的に特定することができる。
【００２６】
次に、本実施形態における障害箇所の特定処理について図４のフローチャートを用いて説明する。ここで、図４のフローチャートは、光伝送装置１０１の監視制御処理の流れを示したもので、主に制御部２０８によって実行される処理である。尚、光伝送装置１０２の監視制御処理についても、制御部３０６によって同様に実行される。以下、各処理について順番に説明する。
【００２７】
（ステップＳ１０１）制御部２０８は、前回のポーリング処理から所定時間が経過したか否かを判別する。所定時間が経過した場合はステップＳ１０２に進んで、光伝送装置１０１内の各部の信号状態をモニタするための次のポーリング処理を開始する。所定時間が経過していない場合は、所定時間が経過するまで待機する。
【００２８】
（ステップＳ１０２）制御部２０８は、光伝送装置１０１内の各部の信号状態を順番にモニタする。例えば、プリアンプ２０４の信号モニタ部の状態を読み出して、光信号が到来しているか否かを確認する。制御部２０８は、同様の確認処理を光伝送装置１０１内の各部（例えば、光ＩＦ２０１ａ，２０１ｂおよび２０１ｃ，ＭＵＸ部２０２，出力アンプ２０３，プリアンプ２０４，ＤＥＭＵＸ部２０５など）に対して順番に行う。
【００２９】
（ステップＳ１０３）制御部２０８は、光伝送装置１０１内の各部においてＬＯＳなどの障害が発生したか否かをステップＳ１０２の処理結果から判別する。障害が発生した場合はステップＳ１０４に進み、障害が発生していない場合はステップＳ１０１に戻って次のポーリング処理を待つ。
【００３０】
（ステップＳ１０４）制御部２０８は、光伝送装置１０１内のいずれかの場所で障害が発生している場合は、ＡＬＳ制御を実行する。ここで、ＡＬＳ制御は、先に説明したように、出力アンプ２０３の光信号の出力を停止する処理である。
【００３１】
（ステップＳ１０５）制御部２０８は、障害が発生した箇所の警報情報をログ記憶部２０７に記憶する。ここで、ログ記憶部２０７に記憶される警報情報は、図２で説明した通りである。
【００３２】
（ステップＳ１０６）制御部２０８は、ログ記憶部２０７に記憶された警報情報をＬＡＮＩＦ２０９およびＬＡＮ１０５を介して監視端末１０６に出力する。
【００３３】
ここで、監視担当者は監視端末１０６のモニタを見て、障害の発生を知ることができる。従来は、この段階で保守作業者を現場に派遣して障害の復旧作業を行っていたが、本実施形態では、監視担当者は監視端末１０６から障害箇所を特定するための探索モード指令（障害箇所を特定する処理の開始指令）を各光伝送装置の各制御部にＬＡＮ１０５を介して発行する。
【００３４】
（ステップＳ１０７）制御部２０８は、監視端末１０６から探索モード指令が発行されたか否かを判別する。探索モード指令が発行された場合はステップＳ１０８に進んで障害箇所探索処理を開始する。探索モード指令が発行されていない場合はステップＳ１０１に戻って障害の監視処理を継続する。
【００３５】
（ステップＳ１０８）制御部２０８は、障害箇所探索処理を開始し、ログ記憶部２０７に記憶されている警報情報を順番に検証する。具体的には、警報情報が記憶されている警報発生場所にダミー信号送信部２０６で試験用の光信号を出力し、出力先の各部の信号モニタ部で試験用の光信号をモニタできるか否かを検証する。出力先の各部の信号モニタ部で試験用の光信号をモニタできた場合は、その警報情報はＡＬＳ制御や二次的な障害発生に起因するものとして、当該警報発生場所の警報を回復させる。同様の処理は、光伝送装置１０１のＡＬＳ制御に起因する警報が検出される光伝送装置１０２においても実行される。
【００３６】
ここで、障害箇所探索処理について具体的な例を挙げて説明する。図５は、光伝送システム１００を構成する光伝送装置１０１のログ記憶部２０７と光伝送装置１０２のログ記憶部３０７とに記憶されている警報情報の一例を示している。図５（ａ）は光伝送装置１０１のログ記憶部２０７に記憶されている警報情報を示し、図５（ｂ）は光伝送装置１０２のログ記憶部３０７に記憶されている警報情報を示している。尚、本実施形態では、図５に示した警報情報は５秒毎のポーリング処理によって記憶されたものとする。
【００３７】
図５（ａ）において、２００８／９／１の１２：００：１５にプリアンプ２０４の入力側でＬＯＳが発生している。また、同一日時に光ＩＦ２０１（２０１ａから２０１ｃを含む）の入力側でもＬＯＳが発生している。さらに、その５秒後の２００８／９／１の１２：００：２０にＤＭＵＸ部２０５の入力側でもＬＯＳが発生している。尚、ポーリング処理の間隔や各部の信号モニタ部の状態を読み出す順番などによって、必ずしもログ記憶部２０７やログ記憶部３０７に記憶された日時の早いログが先に発生したとは限らない。
【００３８】
一方、図５（ｂ）において、２００８／９／１の１２：０１：２５にプリアンプ３０４の入力側でＬＯＳが発生している。また、その５秒後の２００８／９／１の１２：０１：３０にＤＭＵＸ部３０５の入力側でもＬＯＳが発生している。さらに、その５秒後の２００８／９／１の１２：０１：３５に光ＩＦ３０１（３０１ａから３０１ｃを含む）の入力側でもＬＯＳが発生している。
【００３９】
ここで、図５で例示した警報発生場所を光伝送システム１００のブロック図に示すと図６のようになる。尚、図６は図１に示した光伝送システム１００と同じブロック図で、図５で例示した警報発生場所は、「場所Ａ」から「場所Ｊ」で図６上に示してある。例えば、光伝送装置１０１のプリアンプ２０４の入力側の警報発生場所は「場所Ａ」で、ＤＥＭＵＸ部２０５の入力側の警報発生場所は「場所Ｂ」で、光ＩＦ２０１ａ，２０１ｂおよび２０１ｃはそれぞれ「場所Ｃ」，「場所Ｄ」および「場所Ｅ」で示してある。同様に、光伝送装置１０２のプリアンプ３０４の入力側の警報発生場所は「場所Ｆ」で、ＤＥＭＵＸ部３０５の入力側の警報発生場所は「場所Ｇ」で、光ＩＦ３０１ａ，３０１ｂおよび３０１ｃはそれぞれ「場所Ｈ」，「場所Ｉ」および「場所Ｊ」で示してある。
【００４０】
例えば、図４のステップＳ１０８では、図５に例示した光伝送装置１０１のログ記憶部２０７および光伝送装置１０２のログ記憶部３０７に記憶されている警報情報を順番に検証する。具体的には、図５（ａ）の２００８／９／１の１２：００：１５にプリアンプ２０４の入力側で発生したＬＯＳを検証する場合（図６の「場所Ａ」）、制御部２０８はＬＡＮＩＦ２０９，ＬＡＮ１０５およびＬＡＮＩＦ３０９を介して光伝送装置１０２の制御部３０６に対して、ダミー信号送信部３０８から試験用の光信号を出力アンプ３０３から出力するよう要求する。そして、制御部２０８は、プリアンプ２０４の信号モニタ部で試験用の光信号が受信されるか否かを確認する。この結果、プリアンプ２０４の信号モニタ部で試験用の光信号が受信された場合は「場所Ａ」の障害は回復したと判断し、図７（ａ）に示すように、例えば２００８／９／１の１２：０３：３０にプリアンプ２０４の入力側のＬＯＳは回復したことを記憶する。尚、試験用の光信号が受信されなかった場合は「場所Ａ」に障害があると判断する。
【００４１】
同様に、図５（ａ）の２００８／９／１の１２：００：１５に光ＩＦ２０１（２０１ａから２０１ｃを含む）の入力側で発生したＬＯＳを検証する（図６の「場所Ｃ」，「場所Ｄ」および「場所Ｅ」）。この場合は、制御部２０８は、ダミー信号送信部２０８から試験用の光信号を光ＩＦ２０１ａ，２０１ｂおよび２０１ｃの入力側に出力するよう要求する。そして、制御部２０８は、光ＩＦ２０１ａ，２０１ｂおよび２０１ｃのそれぞれの信号モニタ部で試験用の光信号が受信されるか否かを確認する。この結果、試験用の光信号が受信された場合は「場所Ｃ」，「場所Ｄ」および「場所Ｅ」の障害は回復したと判断し、図７（ａ）に示すように、例えば２００８／９／１の１２：０３：５５に光ＩＦ２０１ａ，２０１ｂおよび２０１ｃの入力側のＬＯＳは回復したことを記憶する。
【００４２】
同様の検証処理は、光伝送装置１０２側の制御部３０８においても実行される。光伝送装置１０２側の制御部３０８は、図５（ｂ）のログ記憶部３０７に記憶されている警報情報を順番に検証する。例えば、図５（ｂ）の２００８／９／１の１２：０１：２５にプリアンプ３０４の入力側で発生したＬＯＳを検証する場合（図６の「場所Ｆ」）、制御部３０８はＬＡＮＩＦ３０９，ＬＡＮ１０５およびＬＡＮＩＦ２０９を介して光伝送装置１０１の制御部２０６に対して、ダミー信号送信部２０８から試験用の光信号を出力アンプ２０３から出力するよう要求する。そして、制御部３０８は、プリアンプ３０４の信号モニタ部で試験用の光信号が受信されるか否かを確認する。この結果、プリアンプ３０４の信号モニタ部で試験用の光信号が受信された場合は「場所Ｆ」の障害は回復したと判断し、図７（ｂ）に示すように、例えば２００８／９／１の１２：０３：１５にプリアンプ３０４の入力側のＬＯＳは回復したことを記憶する。尚、試験用の光信号が受信されなかった場合は「場所Ｆ」に障害があると判断する。
【００４３】
同様に、制御部３０８は、図５（ｂ）のログ記憶部３０７に記憶されている次の警報情報を検証する。例えば、図５（ｂ）の２００８／９／１の１２：０１：３０にＤＥＭＵＸ部３０５の入力側で発生したＬＯＳを検証する場合（図６の「場所Ｇ」）、制御部３０８はダミー信号送信部３０８から試験用の光信号をプリアンプ３０４から出力させ、ＤＥＭＵＸ部３０５の信号モニタ部で試験用の光信号が受信されるか否かを確認する。この結果、ＤＥＭＵＸ部３０５の信号モニタ部で試験用の光信号が受信された場合は「場所Ｇ」の障害は回復したと判断し、図７（ｂ）に示すように、例えば２００８／９／１の１２：０３：４５にＤＥＭＵＸ部３０５の入力側のＬＯＳは回復したことを記憶する。
【００４４】
同様に、制御部３０８は、図５（ｂ）の２００８／９／１の１２：０１：３５に光ＩＦ３０１（３０１ａから３０１ｃを含む）の入力側で発生したＬＯＳを検証する（図６の「場所Ｈ」，「場所Ｉ」および「場所Ｊ」）。この場合は、制御部３０８は、ダミー信号送信部３０８から試験用の光信号を光ＩＦ３０１ａ，３０１ｂおよび３０１ｃの入力側に出力させる。そして、制御部３０８は、光ＩＦ３０１ａ，３０１ｂおよび３０１ｃのそれぞれの信号モニタ部で試験用の光信号が受信されるか否かを確認する。この結果、試験用の光信号が受信された場合は「場所Ｈ」，「場所Ｉ」および「場所Ｊ」の障害は回復したと判断し、図７（ｂ）に示すように、例えば２００８／９／１の１２：０４：１５に光ＩＦ３０１ａ，３０１ｂおよび３０１ｃの入力側のＬＯＳは回復したことを記憶する。
【００４５】
以上で、ステップＳ１０８の処理を終了する。ここで、ステップＳ１０８の処理終了後に、光伝送装置１０１のログ記憶部２０７および光伝送装置１０２のログ記憶部３０７に記憶されている警報情報は、本実施形態の例では図７（ａ）および図７（ｂ）に示すようになっている。
【００４６】
（ステップＳ１０９）制御部２０８は、ログ記憶部２０７に記憶されている警報情報を確認して、障害箇所を特定し、ＬＡＮＩＦ２０９およびＬＡＮ１０５を介して監視端末１０６に出力する。尚、同様の処理は、制御部３０８においても実行される。
【００４７】
ここで、障害箇所の特定方法は、先に説明した図７の場合、図７（ｂ）の光伝送装置１０２側のログ記憶部３０７においては、全ての障害発生箇所で回復状態になっているので、光伝送装置１０２側に実際の障害は発生していないことがわかる。ところが、図７（ａ）の光伝送装置１０１側のログ記憶部２０７においては、ＤＥＭＵＸ部２０５以外のプリアンプ２０４の入力側のＬＯＳおよび光ＩＦ２０１ａから２０１ｃの入力側のＬＯＳは回復状態になっているが、ＤＥＭＵＸ部２０５の入力側のＬＯＳは回復していないことがわかる。そこで、制御部２０８は、実際の障害箇所はＤＥＭＵＸ部２０５の入力側（図６の「場所Ｂ」）であると特定する。そして、制御部２０８は、実際の障害箇所がＤＥＭＵＸ部２０５の入力側であることをＬＡＮＩＦ２０９およびＬＡＮ１０５を介して監視端末１０６に出力する。
【００４８】
このように、本実施形態では、監視端末１０６から探索モード指令が発行されると、各光伝送装置１０１，１０２の制御部２０８，３０８は障害発生箇所を特定する処理を開始し、特定された障害発生箇所を監視端末１０６に知らせる。そして、監視端末１０６に障害発生箇所が通報されると、保守作業員が現場に出動し、先に特定された障害発生箇所の回復を図ることができる。特に、本実施形態では、障害発生箇所が自動的に特定されることによって、保守作業員はどの光伝送装置のどこを修理すれば良いのかを事前に知ることができるので、従来のように、試験用の光信号が受信できるか否かを測定しながら障害箇所を特定する作業が不要になり、迅速に効率よく障害を回復することができる。
【００４９】
尚、本実施形態では、ログ記憶部２０７およびログ記憶部３０７に記憶されている警報情報を時系列順に検証するようにしたが、例えばＡＬＳ動作を開始する所定時間前からの警報情報を検証するようにしても構わない。これは、障害発生によってＡＬＳ動作を開始するまでの間に、先に他の場所で障害を検出して時間的に先に警報情報をログ記憶部に記憶する可能性があり、ＡＬＳ動作を開始する所定時間前からの警報情報を検証することによって漏れなく確実に障害箇所を特定することができる。
【００５０】
また、本実施形態では、光伝送装置１０１および光伝送装置１０２のそれぞれにログ記憶部２０７およびログ記憶部３０７を設けて、それぞれの装置における警報情報を記憶するようにしたが、光伝送装置のそれぞれにログ記憶部を配置する代わりに、監視端末１０６に複数の光伝送装置の警報情報を集約して記憶する総合ログ記憶部を設けても構わない。この場合は、各光伝送装置の制御部はＬＡＮ１０５を経由して監視端末１０７の総合ログ記憶部に記憶されている警報情報を読み出して、本実施形態と同様の検証を行うことによって実現できる。
【００５１】
尚、本発明は、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【００５２】
【図１】本実施形態に係る光伝送システム１００の構成を示すブロック図である。
【図２】ログ記憶の一例を示す説明図である。
【図３】障害発生の流れを示す説明図である。
【図４】監視制御処理を示すフローチャートである。
【図５】ログ記憶部２０７およびログ記憶部３０７に記憶される警報情報の一例を示す説明図である。
【図６】障害発生場所を示す光伝送システム１００のブロック図である。
【図７】検証処理後のログ記憶部２０７およびログ記憶部３０７に記憶される警報情報の一例を示す説明図である。
【符号の説明】
【００５３】
１００・・・光伝送システム
１０１，１０２・・・光伝送装置
１０３，１０４・・・光伝送路
１０５・・・ＬＡＮ
１０６・・・監視装置
２０１ａ，２０１ｂ，２０１ｃ・・・光ＩＦ
３０１ａ，３０１ｂ，３０１ｃ・・・光ＩＦ
２０２，３０２・・・ＭＵＸ部
２０３，３０３・・・出力アンプ
２０４，３０４・・・プリアンプ
２０５，３０５・・・ＤＥＭＵＸ部
２０６，３０６・・・ダミー信号送信部
２０７，３０７・・・ログ記憶部
２０８，３０８・・・制御部
２０９，３０９・・・ＬＡＮＩＦ
【図１】
2010074492.tif 000003
【図２】
2010074492.tif 000004
【図３】
2010074492.tif 000005
【図４】
2010074492.tif 000006
【図５】
2010074492.tif 000007
【図６】
2010074492.tif 000008
【図７】
2010074492.tif 000009